(57)【要約】【課題】陳列棚の下側空間が大きく露呈せず、体裁のよい商品陳列什器を提供する。【解決手段】左右に設けられた前後方向を向くベース脚１から起立させた縦支柱２に、傾斜支柱１３の上端を回動可能に取り付け、傾斜支柱１３に陳列棚４を取り付けた商品陳列什器において、水平杆５ａと縦杆５ｂとからなる側面Ｌ字形のパネル支持部材５を形成し、水平杆５ａをベース脚１に前後方向の位置を調整可能に固定し、縦杆５ｂの前面に、傾斜支柱１３に取り付けられている最下段の陳列棚４ａの下側空間の前部を閉塞する前面パネル６を取り付ける。【選択図】図１
2006116196.tif 000002
【特許請求の範囲】
【請求項１】
左右に設けられた前後方向を向くベース脚から起立させた縦支柱の前面に、前下向きの傾斜支柱を傾斜角度調整可能として取り付け、前記傾斜支柱に棚板を取り付けた商品陳列什器において、
前後方向を向く水平杆の前端に縦杆を立設することにより、側面視Ｌ字形のパネル支持部材を形成し、前記水平杆を前記ベース脚に前後方向の位置調整可能として固定し、前記縦杆の前面に、前記傾斜支柱に取り付けられている最下段の陳列棚の下側空間の前部を閉塞する前面パネルを取り付けたことを特徴とする商品陳列什器。
【請求項２】
前面パネルの後面に下向きの係止爪を形成し、この係止爪を縦杆の前面に形成した係止孔に係止させるようにしたことを特徴とする請求項１記載の商品陳列什器。
【請求項３】
縦杆の前面とそれに対向する前面パネルの後面とのいずれか一方に有頭ピンを突設し、かつ他方に、前記有頭ピンの頭部が嵌合しうる大径孔の上端または下端に、前記有頭ピンの軸部のみが嵌合しうる小径孔を連設しただるま孔を設け、前記有頭ピンの軸部をだるま孔の小径孔に係合させて、前面パネルを前記縦杆に取り付けるようにしたことを特徴とする請求項１記載の商品陳列什器。
【請求項４】
ベース脚の上部に、物品を保管する予備棚板を設けたことを特徴とする請求項１〜３のいずれかに記載の商品陳列什器。
【請求項５】
左右に設けられた前後方向を向くベース脚から起立させた縦支柱の前面に、前下向きの傾斜支柱を傾斜角度調整可能として取り付け、前記傾斜支柱に棚板を取り付けた商品陳列什器において、
前後方向を向く水平杆の前端に縦杆を立設することにより、側面視Ｌ字形のパネル支持部材を形成し、前記水平杆を前記ベース脚に前後方向の位置調整可能として固定し、前記縦杆の前面に、最下段の棚板の下側空間に出入可能に収納されるストッカの前面に取り付けた前面パネルにおける両側方に突出する部分の後面が当接するようにしたことを特徴とする商品陳列什器。
【請求項６】
筒状としたベース脚に、パネル支持部材の水平杆を前後移動可能として内嵌または外嵌し、前記ベース脚または水平杆に形成した貫通孔と、前記ベース脚または水平杆に長手方向に沿って間隔をおいて形成したねじ孔の１つとを合致させて止ねじで固定するようにしたことを特徴とする請求項１〜５のいずれかに記載の商品陳列什器。
【発明の詳細な説明】
【技術分野】
【０００１】
本発明は、陳列棚の一部を傾斜状に配置して、商品を陳列するようにした商品陳列什器に関する。
【背景技術】
【０００２】
従来、書籍、ビデオテープ等の商品を陳列する商品陳列什器において、左右に配設したベース脚から起立させた縦支柱に穿設した係合孔に、前下向き傾斜する傾斜支柱の上端を回動可能に取り付け、この傾斜支柱に棚板を取り付けた商品陳列什器がある（例えば、特許文献１参照）。
また、このような商品陳列什器において、最下段の陳列棚の下方の空間に、在庫商品等を収容するストッカを出し入れ可能として収容したり、または、上記下方の空間を閉塞する前面パネルを、最下段の陳列棚の下方に装着しうるようにした商品陳列什器がある（例えば、特許文献２および３参照）。
【特許文献１】特開２００２−３３６１０３号公報
【特許文献２】特開２０００−２０１７８２号公報
【特許文献３】特開２００１−１２８８１５号公報
【０００３】
しかし、特許文献１に記載されているような商品陳列什器における傾斜支柱の下方に、特許文献２に記載されているようなストッカを収容したり、特許文献３に記載されているような前面パネルを設けたりすると、傾斜支柱の傾斜角度を変更したときに、最下段の陳列棚の前下端と、ストッカの前面板または前面パネルの上端との間に空隙が形成され、そこからストッカ内の収容物や陳列什器の内部構造等が露呈し、体裁がよくないという問題がある。
このような問題を解決する手段として、特許文献２の図１に示すように、ベース脚の前端に継足脚を設けることが考えられるが、そのためには、傾斜支柱の傾斜角度に対応した長さの多数の継足脚を用意しておかなければならない。
【０００４】
本発明は、従来の技術が有する上記のような問題点に鑑み、傾斜支柱の傾斜角度を変更した場合でも、最下段の陳列棚の下方の空間の一部が露呈しないようにすることができるとともに、構造が簡単な商品陳列什器を提供することを目的としている。
【発明の開示】
【課題を解決するための手段】
【０００５】
本発明によると、上記課題は、次のようにして解決される。
(１) 左右に設けられた前後方向を向くベース脚から起立させた縦支柱の前面に、前下向きの傾斜支柱を傾斜角度調整可能として取り付け、前記傾斜支柱に棚板を取り付けた商品陳列什器において、前後方向を向く水平杆の前端に縦杆を立設することにより、側面視Ｌ字形のパネル支持部材を形成し、前記水平杆を前記ベース脚に前後方向の位置調整可能として固定し、前記縦杆の前面に、前記傾斜支柱に取り付けられている最下段の陳列棚の下側空間の前部を閉塞する前面パネルを取り付ける。
【０００６】
(２)上記(１)項において、前面パネルの後面に下向きの係止爪を形成し、この係止爪を縦杆の前面に形成した係止孔に係止させるようにする。
【０００７】
(３)上記(１)項において、縦杆の前面とそれに対向する前面パネルの後面とのいずれか一方に有頭ピンを突設し、かつ他方に、前記有頭ピンの頭部が嵌合しうる大径孔の上端または下端に、前記有頭ピンの軸部のみが嵌合しうる小径孔を連設しただるま孔を設け、前記有頭ピンの軸部をだるま孔の小径孔に係合させて、前面パネルを前記縦杆に取り付けるようにする。
【０００８】
(４)上記(１)〜(３)項のいずれかにおいて、ベース脚の上部に、物品を保管する予備棚板を設ける。
【０００９】
(５)左右に設けられた前後方向を向くベース脚から起立させた縦支柱の前面に、前下向きの傾斜支柱を傾斜角度調整可能として取り付け、前記傾斜支柱に棚板を取り付けた商品陳列什器において、前後方向を向く水平杆の前端に縦杆を立設することにより、側面視Ｌ字形のパネル支持部材を形成し、前記水平杆を前記ベース脚に前後方向の位置調整可能として固定し、前記縦杆の前面に、最下段の棚板の下側空間に出入可能に収納されるストッカの前面に取り付けた前面パネルにおける両側方に突出する部分の後面が当接するようにする。
【００１０】
(６)上記(１)〜(５)項のいずれかにおいて、筒状としたベース脚に、パネル支持部材の水平杆を前後移動可能として内嵌または外嵌し、前記ベース脚または水平杆に形成した貫通孔と、前記ベース脚または水平杆に長手方向に沿って間隔をおいて形成したねじ孔の１つとを合致させて止ねじで固定するようにする。
【発明の効果】
【００１１】
本発明によると、次のような効果を奏することができる。
(ａ)請求項１記載の発明によると、前後方向の位置を調整可能のパネル支持部材に、最下段の陳列棚の下側空間の前部を閉塞する前面パネルを取り付けることにより、傾斜支柱の傾斜角度が変更されても、前面パネルの前後位置を変化させて、最下段の陳列棚の下側空間を確実に閉塞することができ、下側空間が露呈しないので、美観に優れた商品陳列什器を得ることができる。
また、上述の従来の継足脚のように、長さの異なるものを多数用意しておく必要がなく、構造が簡単である。
【００１２】
(ｂ)請求項２記載の発明によると、前面パネルの係止爪を縦杆の前面に形成した係止孔に係止させることにより、前面パネルを縦杆に簡単に取り付けることができる。
【００１３】
(ｃ)請求項３記載の発明によると、縦杆の前面とそれに対向する前面パネルの後面とのいずれか一方に設けた有頭ピンを、他方に設けただるま孔に係合させることにより、縦杆に前面パネルを簡単に取り付けることができる。
【００１４】
(ｄ)請求項４記載の発明によると、ベース脚の上部に設けた予備棚板に物品を保管することができ、この物品を前面パネルで隠すことができる。
【００１５】
(ｅ)請求項５記載の発明によると、棚板の下側空間にストッカを収納したときも、前面パネルで最下段の陳列棚との間の隙間を隠すことができる。
【００１６】
(ｆ)請求項６記載の発明によると、ベース脚に水平杆を前後移動可能に嵌合させてねじ止することにより、前面パネルの前後位置を最適の位置に設定することができる。
【発明を実施するための最良の形態】
【００１７】
以下、本発明の実施形態を図面を参照して説明する。
図１は、本発明の商品陳列什器の分解斜視図、図２は、同じく、基本構造の分解斜視図である。
【００１８】
図１に示すように、前後方向を向くべース脚(１)のほぼ中央に立設した複数の縦支柱(２)の前面には、上方においては水平陳列棚(３)、下方においては傾斜陳列棚(４)が、複数段ずつ設けられている（縦支柱(２)の後面側の構造に関しては説明を省略する）。べース脚(１)の前部には、後述するように、パネル支持部材(５)が取り付けられ、このパネル支持部材(５)に前面パネル(６)が取り付けられるようになっている。
【００１９】
図２に示すように、この商品陳列什器は、その基本構造として、縦支柱(２)の前後面（後面のものは図示略）に設けた左右２列とした多数の係合孔(７)の任意の高さものと係合する係止爪(８)を有する係合片(９)と、係合片(９)が一端に回動可能に取り付けられ、かつ上記傾斜陳列棚(４)を構成する棚板(10)の側端における係止爪(11)を係合させるための取付用孔(12)が、前面の長手方向に多数段に設けられた傾斜支柱(13)と、縦支柱(２)の係合孔(７)に係合させるフック爪(14)を後端に有し、縦支柱(２)に取付けた際、前端(15)が傾斜支柱(13)に当接するようにした角度調節杆(16)とを備えている。
【００２０】
図３は、前面パネル支持構造の要部の分解斜視図、図４は、前面パネル支持構造の断面図である。
同図に示すように、前面パネル支持構造は、角筒状とした上記べース脚(１)に嵌合され、前面パネル(６)が取り付けられるパネル支持部材(５)を有している。パネル支持部材(５)は、下部開放の下向きコ字状とした前後方向を向く水平杆(5a)と、この水平杆(5a)の前端部に固定された後向きコ字状の縦杆(5b)とからなっている。水平杆(5a)の上面には複数のねじ孔(17)が前後方向に所定間隔で設けられ、縦杆(5b)の前面には、上下２箇所に係合孔(18)が設けられている。べース脚(１)の上面には、貫通孔(19)が設けられている。
【００２１】
べース脚(１)の前後の端部下面には、高さ調整用のアジャスタボルト(20)が設けられ、このアジャスタボルト(20)により、ベース脚(１)は床(21)上に水平に支持されている。このべース脚(１)内に水平杆(5a)が前方より摺動自在に嵌合され、止ねじ(22)を貫通孔(19)からねじ孔(17)の１つにねじ込むことにより、水平杆(5a)はベース脚(１)に固定されている。前面パネル(６)は、上部に手掛け部(6a)が折曲げ形成され、両側より後方に向けて折曲げ形成された側板(6b)の後縁に上下１対の係止爪(23)が形成されたもので、図４に示すように、係止爪(23)を縦杆(5b)の係合孔(18)に係合させることにより、パネル支持部材(５)に取り付けられている。
【００２２】
傾斜支柱(13)の傾斜角度により、最下段の陳列棚(4a)の前縁の位置が変化するので、これに合わせて、陳列棚(4a)の下部に大きな開口が露呈しないように、水平杆(5a)を前後移動させて、前面パネル(６)の位置を調整するようにしている。
【００２３】
べース脚(１)上には、物品を一時的に保管する予備棚板(24)が取り付けられている。このような予備棚板(24)が設けられた構造では、最下部の陳列棚(4a)の下方に大きな開口が露呈すると、予備棚板(24)上の物品が見えてしまい、美観上好ましくないが、本実施形態では前面パネル(６)で隠され、大きな開口は露呈しないので、このような事態が避けられる。
【００２４】
図５は、予備棚板に代えてストッカを用いる例を示す。
図１および図５に示すように、ストッカ(25)は、箱体(25a)の前面に、上記前面パネル(６)と同一構造の前面パネル(25b)を、その両側部が箱体(25a)の両側に張り出すように取り付けたものである。箱体(25a)の下面にはキャスタ(26)が取り付けられている。
このストッカ(25)を使用する場合は、前面パネル(６)をパネル支持部材(５)から外すとともに、予備棚板(24)をベース脚(１)上から外し、前面パネル(25b)の両側部後面が、左右の縦杆(5b)の前面に当接するようにして、箱体(25a)を左右のベース脚(１)(１)間に嵌合する。こうすることによって、箱体(25a)内の収容物が外部に露呈しないようにすることができる。
【００２５】
図６は、前面パネル支持構造の他の実施形態を示す。水平杆(5a)は、下部開放の下向きコ字状をなし、べース脚(１)の外側に上部から嵌合させるようになっている。複数のねじ孔(17)はベース脚(１)に形成され、貫通孔(19)は水平杆(5a)に形成されている。縦杆(5b)の前面には、段付きねじにより形成した上下１対の有頭ピン(27)が突設されている。前面パネル(６)の後部折返し部(28)には、有頭ピン(27)の頭部(27a)より大径の大径孔(29a)に、有頭ピン(27)の軸部(27b)とほぼ同径かわずかに大径の小径孔(29b)が連設された形状のだるま孔(29)が形成され、この大径孔(29a)を有頭ピン(27a)の頭部(27a)に挿入して引き下げて、軸部(27b)に小径孔(29b)を係合させることにより、前面パネル(６)をパネル支持部材(５)に簡単に装着することができる。この実施形態では、縦杆(5b)に係止孔がなくても前面パネル(６)を取り付けることができるとともに、前面パネル(６)の縦杆(5b)への着脱がワンタッチで簡単に行える。
【００２６】
以上のように、本発明の商品陳列什器では、前面パネル(６)を最下段の傾斜陳列棚(４)の下方に設置することにより、その傾斜陳列棚(４)の下側空間が閉塞され、かつ、傾斜支柱(13)の角度に合わせて前後位置を調整することにより、最下段の傾斜陳列棚(４)との間の隙間を最小限にすることができ、体裁のよい商品陳列什器が得られる。
【００２７】
なお、縦支柱(２)の後面側を、前面側と同様の構造としてもよく、また前面側のみを使用する場合は、ベース脚(１)の後端部に縦支柱(２)を立設してもよい。
【図面の簡単な説明】
【００２８】
【図１】本発明の商品陳列什器の一実施形態の分解斜視図である。
【図２】同じく、基本構造の分解斜視図である。
【図３】同じく、前面パネル支持構造の要部分解斜視図である。
【図４】同じく、予備棚板を使用した前面パネル支持構造の断面図である。
【図５】同じく、ストッカを使用した前面パネル支持構造の断面図である。
【図６】同じく、前面パネル支持構造の他の実施形態を示す断面図である。
【符号の説明】
【００２９】
(１)べース脚
(２)縦支柱
(３)水平陳列棚
(４)傾斜陳列棚
(4a)最下段の陳列棚
(５)パネル支持部材
(5a)水平杆
(5b)縦杆
(６)前面パネル
(6a)手掛け部
(6b)側板
(７)係合孔
(８)係止爪
(９)係合片
(10)棚板
(11)係止爪
(12)取付用孔
(13)傾斜支柱
(14)フック爪
(15)前端
(16)角度調節杆
(17)ねじ孔
(18)係合孔
(19)貫通孔
(20)ボルト
(21)床
(22)止ねじ
(23)係止爪
(24)予備棚板
(25)ストッカ
(25a)箱体
(25b)前面パネル
(26)キャスタ
(27)有頭ピン
(27a)頭部
(27b)ねじ部
(28)折返し部
(29)係合孔
(29a)大径孔
(29b)小径部
【図１】
2006116196.tif 000003
【図２】
2006116196.tif 000004
【図３】
2006116196.tif 000005
【図４】
2006116196.tif 000006
【図５】
2006116196.tif 000007
【図６】
2006116196.tif 000008